(57)【要約】  【課題】  設置作業工数を削減し、型枠パネルとインサート類設置面との間に、コンクリートミルクが浸入するのを確実に阻止し、インサート類設置箇所の不要なコンクリート皮膜や、汚れなどを防止し、コンクリート仕上がり壁面の美観を向上できる新たなスペーサーを兼ねたインサート技術を提供する。  【解決手段】  座盤部３上に立設した胴体部５と、同座盤部３中央に縦貫した吊り孔３２と、該胴体部５周回りの複数箇所に立設し、ガイド部６０，６０，……が一体化した補強体６，６，……と、該座盤部３下面３１遠心がわを囲繞する堰き止めリング４とを有するスペーサー本体２、および、柱体部７０と、該柱体部７０上端に設けた支承頭部７１と、同下端に設けた雌ネジ部７２とを有し、該柱体部７０が、当該胴体部５に組合せ可能とした支柱ナット７とからなるインサート兼用スペーサー１である。【選択図】    図１
2014152460.tif 000002
【特許請求の範囲】
【請求項１】
座盤部の上面中央に立設し、上端開口の筒状孔を穿設した胴体部と、同胴体部筒状孔中央に相当する座盤部中央に縦貫した吊り孔と、該胴体部周回りの複数箇所、および、それらに対応する座盤部上面にかけて立設すると共に、胴体部筒状孔上端開口縁を超えて突出するガイド部が一体化した補強体と、該座盤部下面に、吊り孔の遠心がわを囲繞するよう突設した一定高さの堰き止めリングとを有するスペーサー本体、および、該スペーサー本体胴体部筒状孔の上端開口から、同筒状孔に装着可能な外径を有する柱体部と、同柱体部の上端に設けた支承頭部と、該柱体部の下端に開口した雌ネジ部とを有し、該柱体部が、当該スペーサー本体胴体部筒状孔に一体化するよう組合せ可能な支柱ナットとからなるものとしたことを特徴とするインサート兼用スペーサー。
【請求項２】
座盤部の上面中央に、上端開口の筒状孔を穿設した胴体部を立設し、同胴体部筒状孔中央に相当する座盤部中央に、吊り孔を縦貫すると共に、該胴体部周回りの複数箇所、および、それらに対応する座盤部上面にかけて、胴体部筒状孔上端開口縁を超えて突出するガイド部一体の補強体を夫々立設した上、該座盤部下面に、吊り孔の遠心がわを囲繞する、一定高さの堰き止めリングを突設したスペーサー本体を設け、該スペーサー本体胴体部筒状孔の上端開口から、同筒状孔に装着可能な外径を有する柱体部の上端に支承頭部を設け、該柱体部の下端に雌ネジ部を開口した支柱ナットを一体化するよう組合せてなるものとしたことを特徴とするインサート兼用スペーサー。
【請求項３】
座盤部の上面中央に、上端開口の筒状孔を穿設した胴体部を立設し、同胴体部筒状孔中央に相当する座盤部中央に、吊り孔を縦貫すると共に、該胴体部周回りの複数箇所、および、それらに対応する座盤部上面にかけて、胴体部筒状孔上端開口縁を超えて突出するガイド翼部一体の補強翼を夫々立設した上、該座盤部下面に、吊り孔の遠心がわを囲繞する、一定高さの堰き止めリングを突設したスペーサー本体を設け、該スペーサー本体胴体部筒状孔の上端開口から、同筒状孔に装着可能な外径を有する柱体部の上端に支承頭部を設け、該柱体部の下端に雌ネジ部を開口した支柱ナットを一体化するよう組合せ、型枠パネル成型面の設置位置に載置状に配置し、支柱ナット支承頭部上に鉄筋を載置し、所定かぶり厚とするようにコンクリートを打設する際に、座盤部外周縁から下面がわに回り込み、吊り孔に向かおうとするセメントミルクを、当該堰き止めリングが堰き止め可能なものとしてなることを特徴とするインサート兼用スペーサー。
【請求項４】
型枠パネル成型面の設置位置に載置状に配置可能な平板状の座盤部の上面中央に、筒状孔を穿設し、上端を開口した胴体部を垂直に立設し、同胴体部筒状孔中央に相当する座盤部中央に、吊り孔を縦貫すると共に、該胴体部周回りの所定開き角度毎となる外周壁から、それら所定開き角度毎となる外周壁に対応する座盤部上面にかけて、胴体部筒状孔上端開口縁を超え、該胴体部直立方向に向けて突出するガイド翼部が一体化した補強翼を夫々立設した上、該座盤部下面に、吊り孔の周囲を無端状に囲繞する一定高さの堰き止めリングを突設したスペーサー本体を設け、該スペーサー本体胴体部筒状孔の上端開口から、同筒状孔に装着可能な外径を有する柱体部の上端に、同筒状孔より大きな外径、および、柱体部軸心に直角な天面の支承頭部を設け、該柱体部の下端に、柱体部内に同心状に刻設した雌ネジ部を開口した支柱ナットを一体化するよう組合せてなるものとしたことを特徴とするインサート兼用スペーサー。
【請求項５】
座盤部下面の吊り孔が、同吊り孔の内周壁に一体化した複数枚の扇状片にて、異物侵入を阻止可能とすると共に、吊り金具ボルト部の圧入力によって変形および／または破損可能とする程度の強度をもって閉鎖状としてなるものとした、請求項１ないし４何れか一項記載のインサート兼用スペーサー。
【請求項６】
堰き止めリングが、防水性を有する弾性素材製のものとしてなる、請求項１ないし５何れか一項記載のインサート兼用スペーサー。
【請求項７】
堰き止めリングが、座盤部下面の吊り孔の周囲を無端状に囲繞する環状溝に対し、無端状防水リング体を密着状に嵌着してなるものとした、請求項１ないし６何れか一項記載のインサート兼用スペーサー。
【請求項８】
堰き止めリングが、吊り孔を除く座盤部下面全面に、防水リング体を密着状に装着してなるものとした、請求項１ないし７何れか一項記載のインサート兼用スペーサー。                                          
【発明の詳細な説明】
【技術分野】
【０００１】
この発明は、鉄筋コンクリート造建造物の建設に際し、型枠パネルと鉄筋との間隔を規制し、所望のコンクリート被り厚を確保可能とするスペーサーに関連するものであり、特に、吊り天井や配管などを吊り下げ保持可能とするインサートとしての機能を兼ね備えたものを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                                        
【背景技術】
【０００２】
（着目点）
我が国における建設業界は、その工事の大型化に伴い、施工の合理化および工期の短縮化への要求が高まり、特に、建造物の着工から完成までに行われる基礎工事、壁コンクリート工事、スラブコンクリート工事等の配筋工事や型枠工事等は、様々な業種の作業者が工事の進行状況に応じて作業に取り掛かるため、合理化を進めることが難しく、各施工段階における設計図面との照合、確認や施工監理者の承認等、安全性および耐久性に秀れた建造物を建造するには多くの人手が掛かる上、比較的長い工期を要するものであり、さらに、コンクリート打設後の各種配線、配管工事および床面、側壁面ならびに天井面等の内装工事にもかなりの時間と労力とを費やさざるを得ないのが実情である。
【０００３】
一般に、鉄筋コンクリート造の建造物は、床スラブの下部に吊り天井を配して、同床スラブと吊天井との空間に配線や配管等を配設する構造となっており、その施工手順としては、スラブ構築のため、スラブ下面成形用の型枠パネルを用意した上、支保工を設置して同型枠パネルを敷設、固定すると共に、配筋過程で、線や配管等に必要な各種インサート類を、その底部に設けてある打込み釘部や仮設釘を使い、設計図に従った決められた位置となる当該型枠パネルの要所要所に固設した後、コンクリートを打設してコンクリートスラブを形成し、脱型してスラブ下面に露出状となっている所要インサート類を支持部として各種配線や配管等を配設、そして同様に、所定インサート類に支持させた吊り下げ金具を使って天井を構築するという工程となる。
【０００４】
従来型インサートは、通常、型枠大工が型枠設置作業の中で所定箇所に取り付けていくことになり、既述した型枠パネルに対する打ち込み、固定作業を正確に行うために設置位置の慎重な確認を必要とするため、その取付けだけでも施工に時間を費やさざるを得なくなる上、存置期間を経た型枠パネルを取り外した後には、打設コンクリート下面から下方に向けて突出状となっている仮止め用打ち込み釘部は、そのまま鋭利な先端を突出状としたまま残してしまうと、その後の配線や配管、点検修理等の屋根裏作業時に危害を及ぼしてしまう虞も生じ、そのような事態を避けるため、高所における手作業によって一本一本を全部切除処理する必要があって余計な工数が加わり、これまで、これらコンクリート打設前後の作業効率化が図られじまいになってきていた。
【０００５】
さらに、インサート設置作業に前後または平行して行う配筋作業では、配筋工が、配筋図に従って多数本の鉄筋を配設すると共に、型枠パネル上に所定コンクリート被り厚を確保するよう、要所々々にスペーサーを配しながら、それら鉄筋が型枠パネルから所定の間隔を確保するよう浮かせた状態に支持、敷設しなければならず、既に型枠工によって設置されているインサートを避けながらの作業となることが多く、極めて繁雑なものになると共に、不注意によってインサートのどれかを動かしてしまったり、場合によっては蹴飛ばしたままにされ、所定箇所にインサートが設置されなくしてしまうような事態も惹起していた。
【０００６】
そのため、コンクリート打設前後の作業で、同じ型枠パネル成型面への取付け作業であっても、全く施工目的が異なっていて担当する作業工が違うことから、これまで長年に渡って別々に取り扱われてきていたインサートおよびスペーサーについて、本願発明者らでは、それらインサートおよびスペーサーを一体化することによってスラブ施工の効率化と安全性の向上とを実現できるようにした金具の開発、研究に取り組み、既に、特許文献１（１）および１（２）に掲載されているとおり、種々のインサート兼用スペーサーの実現化に成功している。
【０００７】
このように、本願発明者らが開発済みのインサート兼用スペーサー１は、例えば、図１６ないし図２３に示す事例にもあるとおり、座盤部３の上面３０中央に立設し、上端開口５２（５０）の筒状孔５１を穿設した胴体部５と、同胴体部５筒状孔５１中央に相当する座盤部３中央に縦貫した吊り孔３２と、該胴体部５周回りの複数箇所、および、それらに対応する座盤部３上面３０にかけて立設すると共に、胴体部５筒状孔５１上端５０開口縁５２を超えて突出するガイド部６０が一体化した補強体６，６，……と、各補強体６，６，……間に配置して座盤部３を上下肉厚方向に貫通する釘孔３４，３４，……とを有するスペーサー本体２、および、該スペーサー本体２胴体部５筒状孔５１の上端開口５２から、同筒状孔５１に装着可能な外径を有する柱体部７０と、同柱体部７０の上端に設けた支承頭部７１と、該柱体部７０の下端に開口した雌ネジ部７２とを有し、該柱体部７０が、当該スペーサー本体２胴体部５筒状孔５１に一体化するよう組合せ可能な支柱ナット７とからなるものである。
【０００８】
そして、図２０および図２１に示してあるように、こうしたインサート兼用スペーサー１は、その胴体部５筒状孔５１に、上端５０開口５２から予め支柱ナット７柱体部７０を圧入状に一体化して製造工場から出荷するものとしてあり、建設現場に搬入した後、型枠パネルＰ上の要所々々に、座盤部３下面３１を接地するよう載置すると共に、同座盤部３釘孔３４，３４，……を通じて釘Ｎ，Ｎ，……を打ち付け固定した上、所定間隔を隔てて固定した各インサート兼用スペーサー１，１，……の各支柱ナット７支承頭部７１上に、各ガイド部６０，６０，……（補強翼６，６，……）間にて保持するよう、鉄筋Ｓ，Ｓ，……を掛け渡すごとく配筋し、配筋状態および各インサート兼用スペーサー１，１，……の配置を充分確認した上、各インサート兼用スペーサー１，１，……および鉄筋ＳＳ，……を埋設するようコンクリートミルクＣを打設・養生するものである。
【０００９】
さらに、図２１ないし図２３に見られるとおり、コンクリートＣが硬化し、型枠パネルＰを撤去した後は、コンクリートスラブＣ下面に、各インサート兼用スペーサー１，１，……の座盤部３下面３１および吊り孔３２が露出し、コンクリートスラブＣ下面から突出している釘Ｎ，Ｎ，……先端を高所手作業にて切除した上、配線や配管、天井パネル用などの吊り金具８上端のボルト部８０を、各座盤部３吊り孔３２を通じて、支柱ナット７雌ネジ部７２に螺合し、確りと吊り下げ支持可能なものとなるようにしてある。
【００１０】
しかしながら、図２１に示したように、複数本の釘Ｎ，Ｎ，……を用いて座盤部３下面３１を、型枠パネルＰ上に密着状に配置したにも拘わらず、型枠パネルＰ上に充填したコンクリートミルクＣは、各インサート兼用スペーサー１，１，……の座盤部３下面３１と型枠パネルＰ成型面との間に浸透するよう浸入し、図２２のもののように、不定形のコンクリート皮膜Ｆを発生してしまい、場合によっては、コンクリート皮膜Ｆが、吊り孔３２を塞いでしまい、吊り金具８ボルト部８０の円滑な組み込み作業に支障を来たしてしまったり、養生の過程でコンクリートミルクＣ中から僅かに分離し、コンクリート皮膜Ｆ付近から染み出した液状成分が、そのまま乾燥して汚れＷを生じてしまったりすることがあり、養生を完了して型枠パネルＰを撤去した後には、必ず、各インサート兼用スペーサー１，１，……の吊り孔３２が塞がっていないかや、汚れを生じていないかなどを点検し、必要に応じて危険で多大な労力を要する高所作業によってコンクリート皮膜Ｆや汚れを除去したり、修正や補修作業を行わなければならず、施工工数の削減や工期の短縮化などの障害となっていた。
【００１１】
（従来の技術）
こうした状況を反映し、その打開策となるような提案もこれまでに散見されない訳ではない。
例えば、下記の特許文献１（３）に提案されているもののように、型枠パネルへの固定にボルトを利用し、型枠パネルとインサートとの間に可撓性材からなるキャップ部材を介在させるよう組み込み、コンクリート硬化後に、ボルトを外し、可撓性材からなるキャップ部材を内側に変形させ、コンクリートに傷付けることなくコーン部材を取り外すことができるようにしたインサート取付構造や、同特許文献１（４）に見られるような、合成樹脂短繊維を含むモルタル組成物からなり、略円錐台状の栓本体の小径側端面に、同栓本体と同じ軸心の雄ネジ状部を一体に設け、コンクリート内に所定の被り厚をもって埋設可能な異形鉄筋からなるインサートに対し、大径側端面に設けた凹部に適宜工具を当接し、雄ネジ状部をインサートの雌ネジ部に螺入することにより、穴埋め処理を行うことができるようにした跡穴処理栓、同特許文献１（５）のように、底面に固定孔を有する本体部と、該本体部上部に鉄筋保持部とを備える鉄筋スペーサーと、固定孔に挿入可能であると共に、同固定孔に挿入された状態にて、同固定孔の内壁面に押し付けるよう、径方向に変形可能な取付具とを有し、コンクリート肉厚内に埋設し、確実に一体化可能とする鉄筋コンクリートへの取付具の固定構造およびその固定方法などが散見される。
【００１２】
しかし、前者特許文献１（３）に示されているようなインサート取付構造などは、型枠パネルへの固定にボルトを利用するが、型枠パネルの外面がわから取付孔に挿し通したボルトに、型枠パネルの内面がわからキャップ部材およびインサートを装着・螺合する作業は、互いの部品同士を目視確認することができないから位置合わせが難しく、特に大型の型枠パネルを使用する場合には、内外面の夫々に作業者を１人ずつ配しておく必要があるなど、作業効率を悪化させてしまうことが懸念されるものであり、特許文献１（４）の跡穴処理栓のように、跡穴を積極的に成形し、コンクリート硬化後に、その跡穴に処理栓を装着可能としてなるものは、跡穴への装着忘れや、一度装着した跡穴処理栓の取り外し困難などの支障を来す虞があり、また、後者特許文献１（５）に代表する鉄筋コンクリートへの取付具の固定構造およびその固定方法などは、本願発明者らが開発済みの特許文献１（１）や１（２）のインサート兼用スペーサーと同様、型枠パネルと、型枠パネルに接地するインサートの設置面との間に、コンクリートミルクが浸入して、不要なコンクリート皮膜や、汚れなどのを発生してしまう虞があるという欠点が残るものであった。                                                              
【特許文献１】（１）特開２０００−３４７８４号公報    （２）特開２００２−３０７６５号公報    （３）特開２０００−２２５６１１号公報    （４）特開２００７−１７０１２５号公報    （５）特開２０１０−１８９９３８号公報
【発明の概要】
【発明が解決しようとする課題】
【００１３】
（問題意識）
上述したとおり、従前までに提案のある各種スペーサーを兼ねたインサート類は、型枠パネルとインサートとの間に、コンクリートの硬化および型枠パネル撤去後に容易に取り外しできる介在部品類を装着し、型枠とインサート設置面との間へのコンクリートミルクの浸入に起因する不要なコンクリート皮膜や、汚れなどを生じさせないようにしたものにあっては、設置に際し、必ず介在部品類を組み込む必要があり、さらに、コンクリート硬化後には、介在部品類を取り外す作業が不可欠となり、跡穴に処理栓を装着する作業などが新たに加わるなど、何れも作業工数が増加してしまうという欠点が残るものであり、また、こうした介在部品類を組み込まないものの場合には、コンクリートが硬化して型枠パネルを撤去した後に、不要なコンクリート皮膜や、汚れなどが生じ易いから、危険な高所作業によるインサート類設置箇所の補修や清掃が不可欠であり、いずれの場合にも、使用する部品点数の増加や、それらを組み込み、取り外しするためや、不要なコンクリート皮膜の補修や清掃などの工数増加を避けることができず、こうした手数を省いてしまうと、完成後のコンクリートスラブやコンクリート壁面のインサート類の埋設部分の美観を損ねてしまうという弊害があり、部品点数を最小限度に留め、危険な高所作業の工数削減を図り、打設コンクリートを美しく仕上げることができる、新たなスペーサーを兼ねたインサートの開発の必要性を痛感するに至ったものである。
【００１４】
（発明の目的）
そこで、この発明は、設置作業工数を削減し、型枠パネルとインサート類設置面との間に、コンクリートミルクが浸入するのを確実に阻止し、インサート類設置箇所の不要なコンクリート皮膜や、汚れなどを防止し、コンクリート仕上がり壁面の美観を向上できる新たなスペーサーを兼ねたインサート技術の開発はできないものかとの判断から、逸速くその開発、研究に着手し、長期に渡る試行錯誤と幾多の試作、実験とを繰り返してきた結果、今回、遂に新規な構造のインサート兼用スペーサーを実現化することに成功したものであり、以下では、図面に示すこの発明を代表する実施例と共に、その構成を詳述することとする。                                                                                                                  
【課題を解決するための手段】
【００１５】
（発明の構成）
図面に示すこの発明を代表する実施例からも明確に理解されるように、この発明のインサート兼用スペーサーは、基本的に次のような構成から成り立っている。
即ち、座盤部の上面中央に立設し、上端開口の筒状孔を穿設した胴体部と、同胴体部筒状孔中央に相当する座盤部中央に縦貫した吊り孔と、該胴体部周回りの複数箇所、および、それらに対応する座盤部上面にかけて立設すると共に、胴体部筒状孔上端開口縁を超えて突出するガイド部が一体化した補強体と、該座盤部下面に、吊り孔の遠心がわを囲繞するよう突設した一定高さの堰き止めリングとを有するスペーサー本体、および、該スペーサー本体胴体部筒状孔の上端開口から、同筒状孔に装着可能な外径を有する柱体部と、同柱体部の上端に設けた支承頭部と、該柱体部の下端に開口した雌ネジ部とを有し、該柱体部が、当該スペーサー本体胴体部筒状孔に一体化するよう組合せ可能な支柱ナットとからなるものとした構成を要旨とするインサート兼用スペーサーである。
【００１６】
この基本的な構成からなるインサート兼用スペーサーは、その表現を変えて示すならば、座盤部の上面中央に、上端開口の筒状孔を穿設した胴体部を立設し、同胴体部筒状孔中央に相当する座盤部中央に、吊り孔を縦貫すると共に、該胴体部周回りの複数箇所、および、それらに対応する座盤部上面にかけて、胴体部筒状孔上端開口縁を超えて突出するガイド部一体の補強体を夫々立設した上、該座盤部下面に、吊り孔の遠心がわを囲繞する、一定高さの堰き止めリングを突設したスペーサー本体を設け、該スペーサー本体胴体部筒状孔の上端開口から、同筒状孔に装着可能な外径を有する柱体部の上端に支承頭部を設け、該柱体部の下端に雌ネジ部を開口した支柱ナットを一体化するよう組合せてなるものとした構成からなるインサート兼用スペーサーとなる。
【００１７】
これを換言すると、座盤部の上面中央に、上端開口の筒状孔を穿設した胴体部を立設し、同胴体部筒状孔中央に相当する座盤部中央に、吊り孔を縦貫すると共に、該胴体部周回りの複数箇所、および、それらに対応する座盤部上面にかけて、胴体部筒状孔上端開口縁を超えて突出するガイド翼部一体の補強翼を夫々立設した上、該座盤部下面に、吊り孔の遠心がわを囲繞する、一定高さの堰き止めリングを突設したスペーサー本体を設け、該スペーサー本体胴体部筒状孔の上端開口から、同筒状孔に装着可能な外径を有する柱体部の上端に支承頭部を設け、該柱体部の下端に雌ネジ部を開口した支柱ナットを一体化するよう組合せ、型枠パネル成型面の設置位置に載置状に配置し、支柱ナット支承頭部上に鉄筋を載置し、所定かぶり厚とするようにコンクリートを打設する際に、座盤部外周縁から下面がわに回り込み、吊り孔に向かおうとするセメントミルクを、当該堰き止めリングが堰き止め可能なものとしてなる構成からなるインサート兼用スペーサーとなる。
【００１８】
より具体的には、型枠パネル成型面の設置位置に載置状に配置可能な平板状の座盤部の上面中央に、筒状孔を穿設し、上端を開口した胴体部を垂直に立設し、同胴体部筒状孔中央に相当する座盤部中央に、吊り孔を縦貫すると共に、該胴体部周回りの所定開き角度毎となる外周壁から、それら所定開き角度毎となる外周壁に対応する座盤部上面にかけて、胴体部筒状孔上端開口縁を超え、該胴体部直立方向に向けて突出するガイド翼部が一体化した補強翼を夫々立設した上、該座盤部下面に、吊り孔の周囲を無端状に囲繞する一定高さの堰き止めリングを突設したスペーサー本体を設け、該スペーサー本体胴体部筒状孔の上端開口から、同筒状孔に装着可能な外径を有する柱体部の上端に、同筒状孔より大きな外径、および、柱体部軸心に直角な天面の支承頭部を設け、該柱体部の下端に、柱体部内に同心状に刻設した雌ネジ部を開口した支柱ナットを一体化するよう組合せてなるものとした構成からなるインサート兼用スペーサーとなる。                                                                      
【発明の効果】
【００１９】
以上のとおり、この発明のインサート兼用スペーサーによれば、従前までのものとは違い、上記したとおりの固有の特徴ある構成から、スペーサーの設置作業に、従前まで別に行わなければならなかったインサートの設置作業を統合し、必要部品点数を大幅削減することができると共に、配筋工程およびインサート設置工程の作業効率を格段に高めることができる上、スペーサー本体座盤部下面に設けた堰き止めリングが、打設中のコンクリートミルクを正確に堰き止めて、座盤部下面中央に開口する吊り孔、およびその中にある支柱ナット雌ネジ部に浸入するのを確実に防止でき、しかも堰き止めリングは、その輪郭形状に沿ってコンクリートミルクを堰き止めるから、吊り孔に臨むコンクリート縁部を特別な作業を要さずとも、打設作業のみによって自動的に所望の形状に、秀逸に成形することができ、さらに、堰き止めリングの堰き止めにより、コンクリートミルクからの分離液の染み出しを阻止して、染み出しに起因する汚れなどの発生を確実に防止でき、型枠パネルを撤去した後にも、天井付近の高所作業となることの多い、修正・補修作業や清掃作業などの危険な後処理工程を不要とし、建設作業の安全性を大幅に高めることができるという秀れた特徴が得られるものである。
【００２０】
加えて、この発明のインサート兼用スペーサーは、そのスペーサー本体座盤部の下面に、吊り孔の周囲を無端状に囲繞する一定高さの堰き止めリングを突設してなるものとしてあるから、型枠パネル成型面に堰き止めリングの全周が、一段と密に接合するよう設置可能となって、さらに確実なコンクリートミルクの堰き止め効果を奏するものとなり、さらに、座盤部下面の吊り孔が、同吊り孔の内周壁に一体化した複数枚の扇状片にて閉鎖状としてなるものは、工場生産後から、保管、出荷、輸送、搬入、施工などの様々な作業中にも、吊り孔内に異物などが進入するのを確実に防止できるものとなり、コンクリートが硬化した後に、埋設した当該インサート兼用スペーサーの吊り孔に、吊り金具ボルト部を圧入するだけで、各扇状片が、容易に変形および／または破損するから作業性にも優れ、高所作業となる天井や配管類の吊り下げ作業を、より効率的に進めることができるという効果が得られる。
【００２１】
そして、防水性を有する弾性素材製の堰き止めリングを設けることにより、型枠パネル成型面との摩擦力を格段に高め、設置後の滑りや不用意な移動を、より確実に防止できるものとなる上、型枠パネル成型面との密着性能を一層高めて、コンクリートミルクを堰き止める機能を一段と高めることができ、また、堰き止めリングが、座盤部下面の吊り孔の周囲を無端状に囲繞する環状溝に対し、無端状防水リング体を密着状に嵌着してなるものは、高強度が求められるスペーサー本体と、柔軟性が求められる防水リング体とを夫々個別の素材製のものとして、各部品毎により高い要求性能を達成できるものとすることができ、さらにまた、吊り孔を除く座盤部下面全面に、防水リング体を密着状に装着してなるものは、型枠パネル成型面との摩擦力を大幅に高めたものとする上、型枠パネル成型面との密着性能を大幅に向上することができ、配筋作業の効率化と設置安定性とを格段に高めたものとすることができるという大きな効果を奏するものとなる。                                                      
【発明を実施するための最良の形態】
【００２２】
上記したとおりの構成からなるこの発明の実施に際し、その最良もしくは望ましい形態について説明を加えることにする。
スペーサー本体は、型枠パネルに対して所定被り厚寸法を確保可能とするよう支柱ナットを所定の姿勢に支持可能とすると共に、当該インサート兼用スペーサーに鉄筋を搭載し、配筋した場合に、搭載鉄筋が不用意に離脱・脱落しないよう保持可能とする補強体を一体化可能とする機能を担い、座盤部の上面中央に立設し、上端開口の筒状孔を穿設した胴体部と、同胴体部筒状孔中央に相当する座盤部中央に縦貫した吊り孔と、該胴体部周回りの複数箇所、および、それらに対応する座盤部上面にかけて立設すると共に、胴体部筒状孔上端開口縁を超えて突出するガイド部が一体化した補強体と、該座盤部下面に、吊り孔の遠心がわを囲繞するよう突設した一定高さの堰き止めリングとを有するものとしなければならず、より具体的には、後述する実施例に示すように、型枠パネル成型面の設置位置に載置状に配置可能な平板状の座盤部の上面中央に、筒状孔を穿設し、上端を開口した胴体部を垂直に立設し、同胴体部筒状孔中央に相当する座盤部中央に、吊り孔を縦貫すると共に、該胴体部周回りの所定開き角度毎となる外周壁から、それら所定開き角度毎となる外周壁に対応する座盤部上面にかけて、胴体部筒状孔上端開口縁を超え、該胴体部直立方向に向けて突出するガイド翼部（ガイド部）が一体化した補強翼（補強体）を夫々立設した上、該座盤部下面に、吊り孔の周囲を無端状に囲繞する一定高さの堰き止めリングを突設したものとすべきであり、軽合金製や硬質合成樹脂製など軽量且つ錆びない、または、錆び難い素材製とするのが望ましい。
【００２３】
スペーサー本体の座盤部は、各補強体、および、堰き止めリングを互いに所定の配置関係となるよう一体化し、この発明のインサート兼用スペーサー自体を転倒せぬよう、型枠パネル所定位置に支持する機能を果たすものであって、型枠パネル成型面に接地するがわとなる下面には、吊り孔の遠心がわを囲繞する堰き止めリング突設し、該下面の反対がわとなる上面には、該吊り孔と略同心状配置となる胴体部を立設し、同胴体部周回りの複数箇所、および、それらに対応する座盤部上面にかけて補強体を立設したものとしなければならず、型枠パネル上に安定して設置し、胴体部を型枠パネル成型面に対して垂直姿勢に支持可能なものとすべきであり、より安定な設置状態を得るため、胴体部周囲に同心状となるフランジ形状のものとすることができる外、三角形、多角形状、楕円状、長円状、星形などの各種平面視形状のものとすることが可能であり、必要に応じて堰き止めリングよりも遠心がわの適所に釘や木ネジなどを打ち込むのに利用可能な釘孔類を穿設したものとすることができる。
【００２４】
座盤部の吊り孔は、スペーサー本体胴体部に組み込んだ支柱ナット下端にある雌ネジ部に対し、吊り金具を装着する際に、該吊り金具のボルト部が通過可能とする機能を分担し、該吊り金具のボルト部が容易に通過可能とするよう、胴体部筒状孔に同心状配置であって、該吊り金具のボルト部よりも僅かに大きな直径に設定したものとすべきであり、当該吊り孔内周壁に一体化した複数枚の扇状片にて、異物侵入を阻止可能とすると共に、吊り金具ボルト部の圧入力によって変形および／または破損可能とする程度の強度をもって閉鎖状としてなるものとすることができる。
【００２５】
堰き止めリングは、この発明のインサート兼用スペーサーを型枠パネル成型面に設置した場合に、スペーサー本体胴体部および支柱ナットを所定姿勢に安定支持可能とすると共に、コンクリート打設工程中に、型枠パネル成型面と座盤部下面との間にコンクリートミルクが不規則な形状に浸入してしまうのを、所望する形状に堰き止め可能とする機能を分担し、設置した際に、型枠パネル成型面に密着状となり、コンクリートミルクが吊り孔がわ（求心がわ）に流入するのを確実に阻止可能なものとしなければならず、型枠パネル成型面の僅かな凹凸面にも追従して密着可能な程度に柔軟性を有すると共に、水分を通過しない防水性とを兼ね備えた弾性素材製のものとすべきであり、軟質合成樹脂製や天然ゴム製、またはそれらの発泡樹脂や発泡ゴム製などとするのが望ましく、より具体的には、後述する実施例に示すように、座盤部下面の吊り孔の周囲を無端状に囲繞する環状溝に対し、無端状防水リング体を密着状に嵌着してなるものや、吊り孔を除く座盤部下面全面に、防水リング体を密着状に装着してなるものなどとすることができる。
【００２６】
スペーサー本体の胴体部は、この発明のインサート兼用スペーサーのスペーサー本体に支柱ナットを一体的に組み込み可能とし、支柱ナットを座盤部上の所定高さ位置および所定姿勢に支持可能とすると共に、補強体を一体化する機能を分担し、充分な強度をもって支柱ナットを支持可能なものとしなければならず、支柱ナット柱体部の外径より僅かに大きいか、略同じかの何れか一方の内径とし、同支柱ナット柱体部よりも僅かに長く設定した筒状孔を設けたのとすべきであり、充分な強度が確保可能であれば、枠状や網状の筒形のものとすることが可能であって、支柱ナット柱体部外周壁に雄ネジを刻設し、胴体部筒状孔内周壁に雌ネジを刻設して、支柱ナットの組み込み高さ位置を微調節可能としたものや、胴体部筒状孔開口縁に支柱ナット支承頭部の周囲下面を当接し、支柱ナットの組み込み高さ位置を規制可能としたものなどとすることができる外、後述する実施例に示すように、支柱ナットを圧入にて一体化可能な寸法・形状のものとすることができる。
【００２７】
補強翼は、座盤部上に立設する胴体部を周囲から補強可能とすると共に、ガイド部をスペーサー本体に一体化し、硬化後のコンクリート壁中にあっては、この発明のインサート兼用スペーサーが、吊り金具の吊り下げ作業に際し不用意に回転したり、脱抜してしまったりするような移動を阻止するよう、周囲コンクリートと強固に一体化する機能を担い、胴体部周回りの複数箇所、および、それらに対応する座盤部上面にかけて立設すると共に、胴体部筒状孔上端開口縁を超えて突出するガイド部が一体化したものとしなければならず、より具体的には、後述する実施例に示すように、胴体部周回りの均衡する複数箇所と、それらに対応する座盤部上面にかけて遠心方向に伸びる平板状のものとするのが望ましく、その上部に一体化したガイド部は、胴体部筒状孔に組み込んだ支柱ナット支承頭部上に交叉状に載置した複数本の鉄筋が、不用意に移動・脱落しないよう、仕切り状に保持可能とする機能を分担し、胴体部筒状孔上端開口縁を超えて突出する形状のものとしなければならず、棒状、柱状、板状など様々な形状のものとすることができ、後述する実施例に示すように、補強翼の上部に設けたガイド部を、平板片状のガイド翼部とし、それら補強翼およびガイド翼部を、胴体部周回りの９０°毎となる外周壁から、それら９０°毎となる外周壁に対応する座盤部上面にかけて強固に一体化してなるものとするのが望ましい。
【００２８】
支柱ナットは、配筋工程にて、型枠パネル成型面から鉄筋までの距離を、所望の被り厚寸法に設定するよう、この発明のインサート兼用スペーサースペーサー本体上部に、鉄筋を安定支持する硬質部分を確保可能とすると共に、この発明のインサート兼用スペーサースペーサー本体下部に、吊り金具を吊り下げ可能とし、且つ、硬化済みコンクリート中にあっては、コンクリート肉厚中に強固に一体化して、吊り金具吊下時の荷重を、コンクリート肉厚内に分散・伝達し、充分な吊り下げ強度を確保可能なものとするという機能を分担し、胴体部筒状孔に装着可能な外径を有する柱体部と、同柱体部の上端に設けた支承頭部と、該柱体部の下端に開口した雌ネジ部とを有し、該柱体部が、当該スペーサー本体胴体部筒状孔に一体化するよう組合せ可能なものとしなければならず、該柱体部が支承頭部と雌ネジ部とを強固に一体化し、硬質合成樹脂製や錆び難い金属製、防錆処理した金属製のものなどとすべきであり、該支承頭部は、配筋工程にて、鉄筋を安定支持可能とするよう、少なくとも上面の外周縁を一平面状のものとするのが望ましく、下面が胴体部上端開口縁に当接し、筒状孔への必要以上の没入を阻止可能なものとし、同支承頭部が、硬化済みコンクリート肉厚中に強固に一体化して、吊り金具の吊り下げ強度を確保可能なものとすることができる。
以下では、図面に示すこの発明を代表する実施例と共に、その構造について詳述することとする。                                                                                                            
【図面の簡単な説明】
【００２９】
図面は、この発明のインサート兼用スペーサーの技術的思想を具現化した代表的な幾つかの実施例を示すものである。
【図１】この発明のインサート兼用スペーサーを一部断面化して示す正面図である。
【図２】この発明のインサート兼用スペーサーを示す平面図である。
【図３】この発明のインサート兼用スペーサーを示す下面図である。
【図４】この発明のインサート兼用スペーサーの利用状態を示す正面図である。
【図５】この発明のインサート兼用スペーサーの利用状態を示す下面図である。
【図６】形状が異なる防水リング形を設けたインサート兼用スペーサーを示す正面図である。
【図７】図６のインサート兼用スペーサーを示す平面図である。
【図８】図６のインサート兼用スペーサーを示す下面図である。
【図９】図６のインサート兼用スペーサーの利用状態を示す正面図である。
【図１０】図６のインサート兼用スペーサーの利用状態を示す下面図である。
【図１１】さらに形状が異なる防水リング形を設けたインサート兼用スペーサーを示す正面図である。
【図１２】図１１のインサート兼用スペーサーを示す平面図である。
【図１３】図１１のインサート兼用スペーサーを示す下面図である。
【図１４】図１１のインサート兼用スペーサーの利用状態を示す正面図である。
【図１５】図１１のインサート兼用スペーサーの利用状態を示す下面図である。
【図１６】従来型インサート兼用スペーサーを一部断面化して示す正面図である。
【図１７】従来型インサート兼用スペーサーを示す平面図である。
【図１８】従来型インサート兼用スペーサーを示す下面図である。
【図１９】従来型インサート兼用スペーサーを示す斜視図である。
【図２０】従来型インサート兼用スペーサーの利用状態を示す斜視図である。
【図２１】従来型インサート兼用スペーサーの利用状態を示す正面図である。
【図２２】従来型インサート兼用スペーサーの利用状態を示す下面図である。
【図２３】吊り金具を組み込む従来型インサート兼用スペーサーを示す正面図である。
【実施例１】
【００３０】
図１ないし図５に示す事例は、座盤部３上面３０に立設した胴体部５と、同胴体部５中央に相当する座盤部３に縦貫した吊り孔３２と、該胴体部５周回りの複数箇所に立設し、胴体部５上端５０を超えて突出するガイド部６０，６０，……が一体化した補強体６，６，……と、該座盤部３下面３１に有って遠心がわを囲繞する堰き止めリング４とを有するスペーサー本体２、および、該スペーサー本体２胴体部５に装着可能な柱体部７０と、同柱体部７０の上端に設けた支承頭部７１と、該柱体部７０の下端に開口した雌ネジ部７２とを有し、該柱体部７０が、当該スペーサー本体２胴体部５に一体化するよう組合せ可能な支柱ナット７とからなるものとした、この発明のインサート兼用スペーサーにおける代表的な一実施例を示すものである。
【００３１】
それら各図からも明確に把握できるとおり、この発明のインサート兼用スペーサー１は、そのスペーサー本体２が高強度の合成樹脂成形品で有って、円板状の座盤部３の上面３０中央に、所定高さの円筒形であって同心状の筒状孔５１を上端５０に開口５２した胴体部５を垂直に立設し、同胴体部５筒状孔５１中央に相当する座盤部３中央に、吊り金具（図２３に示す８）ボルト部（図２３に示す８０）外径よりも大きく、筒状孔５１内径よりも小さな吊り孔３２を設け、図３に示すように、該吊り孔３２の内周壁に、外圧によって容易に変形可能な程度の強度に設定した複数枚の扇状片３３，３３，……を一体化し、該吊り孔３２の開口部付近を閉鎖状としたものとし、該胴体部５周回りの９０°毎となる外周壁から、それら９０°毎となる外周壁に対応する座盤部３上面３０にかけて、同胴体部５筒状孔５１上端５０開口縁５２を超え、同胴体部５直立方向に向けて突出し、筒状孔５１に面する部分が上方に向かうほど拡開するよう切除してなる台形状のガイド翼部６０，６０，……が一体化した板状の補強翼６，６，……を夫々遠心方向および上方に向けて立設した上、該座盤部３下面３１に、吊り孔３２の周囲を円形状（無端状）に囲繞し、内向き鈎爪部４１，４１を有する環状溝４０を刻設し、該環状溝４０に対し、軟質合成樹脂製の無端状防水リング体４２を、その弾性を利用して鈎爪部４１，４１に掛止して密着状に嵌着し、一定高さの堰き止めリング４を突設したものであり、図１および図４に示すように、当該堰き止めリング４防水リング体４２先端の断面形状は、下向き角部を有する逆三角断面形状のものとしてある。
【００３２】
当該インサート兼用スペーサー１の支柱ナット７は、スペーサー本体２胴体部５筒状孔５１に装着可能な外径に設定した柱体部７０を有し、該柱体部７０上端に、筒状孔５１よりも充分に大きな外径、および、柱体部７０軸心に直角な天面形状とした支承頭部７１を設ける一方、該支承頭部７１を設けたのとは反対がわとなる同柱体部７０下端に、同柱体部７０内に同心状に刻設した雌ネジ部７２を開口してなるものとし、当該スペーサー本体２胴体部５の上端５０開口５２から、柱体部７０を装着し、支承頭部７１下面が、胴体部５上端５０開口縁５２に係合するよう組合せたものとする。
【００３３】
（実施例１の作用・効果）
以上のとおりの構成からなるこの発明のインサート兼用スペーサー１は、図４および図５に示すように、型枠パネルＰ成型面に設置すると、堰き止めリング４防水リング体４２の逆三角断面形の下向き先端角部が、インサート兼用スペーサー１の荷重を受けて弾性変形し、該型枠パネルＰ成型面に密着状となり、さらに、支柱ナット７支承頭部７１上に鉄筋Ｓを搭載して配筋することにより、防水リング体４２がさらに圧縮して、該型枠パネルＰ成型面との密着度を高め、摩擦力を拡大して型枠パネルＰ成型面上の滑りや移動をより確実に阻止するよう固定するものとなるから、釘などによる型枠パネルＰへの固定を不要とし、配筋作業の工数を大幅削減できる。
【００３４】
インサート兼用スペーサー１は、型枠パネルＰ成型面と搭載鉄筋Ｓとの間に、所定のコンクリート被り厚を確保すると共に、硬質な支柱ナット７支承頭部７１が、搭載鉄筋Ｓを下がわから強固に支持し、且つ、各補強翼６，６，……ガイド翼部６０，６０，……が、搭載鉄筋Ｓを側方に脱落しないよう確実にサポートするものとなり、打設工程にて充填したコンクリートミルクＣは、型枠パネルＰ成型面以上のインサート兼用スペーサー１周囲に密に充填されるものとなり、当該インサート兼用スペーサー１座盤部３下の堰き止めリング４が、型枠パネルＰ成型面との隙間に浸入しようとするコンクリートミルクＣを確実に堰き止め、図５に示すように、堰き止めリング４によって仕切られた円形状の、コンクリートミルクＣ未充填域Ｅを成型するものとなり、従来の図２２に示したような、不定形の不要なコンクリート皮膜（図２２に示すＦ）や、養生過程中にコンクリートミルクＣから染み出す汚れ（図２２に示すＷ）の発生を防止するものとなる。
【００３５】
図５に示すように、コンクリートＣが充分に硬化し、型枠パネルＰを撤去した後には、堰き止めリング４に囲まれ、コンクリートＣを円板形に刳り抜いた状態に成形した空間Ｅが空き、その中央に吊り孔３２が位置するものとなるから、天井付近の高所におけるコンクリート皮膜（図２２に示すＦ）の除去作業や、汚れ（図２２に示すＷ）の清掃や補修などの仕上げ作業が一切不要となり、しかも、吊り金具を装着する作業者は、吊り金具のボルト部を扇状片３３，３３，……が変形する圧力にて押し込み、支柱ナット７柱体部７０下端に開口する雌ネジ部７２に螺合して吊り下げるよう、効率的に作業を進めることができる。                                                                                                                  
【実施例２】
【００３６】
図６ないし図１０に示すように、この発明のインサート兼用スペーサー１は、その堰き止めリング４が、吊り孔３２を除く座盤部３下面３１全面に、環状平板形の防水性・弾性素材製の防水リング体４２を粘着剤や接着剤を利用するか、または、一体化成型や熱熔着するかなどして密着状に装着・一体化してなるものとすることが可能である。
【００３７】
（実施例２の作用・効果）
図９および図１０に示すように、インサート兼用スペーサー１を設置、利用する際に、環状平板形の防水リング体４２は、型枠パネルＰ成型面に接合する面積が格段に広がり、鉄筋Ｓを搭載支持する場合の耐荷重を高めることができ、型枠パネルＰ成型面との間に、より大きな摩擦力を生じ、滑りによる移動や転倒をさらに確実に防止できるものとし、また、打設中のコンクリートミルクＣが、座盤部３周囲から吊り孔３２がわに流入するのを、一段と確実に阻止可能とするものとなって、不要なコンクリート皮膜（図２２に示すＦ）や汚れ（図２２に示すＷ）の発生などを、一層確実に防止できるものとなる。                                            
【実施例３】
【００３８】
図１１ないし図１５に示すように、この発明のインサート兼用スペーサー１は、その堰き止めリング４を、座盤部３下面３１の外周縁付近に沿って突出した反転蒲鉾状断面形の無端環状凸条として一体化成型してなるものとすることができる。
【００３９】
（実施例３の作用・効果）
座盤部３下面３１に一体化成型してなる堰き止めリング４は、別体部品の防水リング体４２を後付けする工程が不要となり、製造工数および部品点数を削減して、より低廉にて製造可能なものとすることができる。
【００４０】
（結  び）
叙述の如く、この発明のインサート兼用スペーサーは、その新規な構成によって所期の目的を遍く達成可能とするものであり、しかも製造も容易で、従前までの技術に比較してインサートとスペーサーといった部品を別々に用意することもなくなり、必要となる建築金物を半減させることができ、配筋工事の作業効率を格段に高めることができる上、二重天井や配線・配管設置用のインサートの配設作業を、配筋用スペーサーの設置作業に統一して施工工数の削減、工期の短縮および経費削減を達成可能とし、従前までであれば、硬化したコンクリート表面に露出するスペーサー本体座盤部吊り孔付近、および、同吊り孔内の支柱ナットの吊り金具用雌ネジ部付近に不要なコンクリート皮膜や汚れが生じ、それらの除去や清掃、修復などの作業に多大な時間と労力とを費やさざるを得なかったが、こうした不要なコンクリート皮膜や汚れの発生を確実に防止できるから、コンクリート硬化後に型枠パネルを撤去するだけで美しいコンクリート成型壁面に仕上げることができるものとなり、高所作業の頻度を大幅に削減でき、今後益々建造物が大型化して、より一層の工期の短縮と作業安全性の向上とが求められる建設業界において、その有用性が高く評価され、広く採用、普及していくものになると予想される。                                                  
【符号の説明】
【００４１】
１      インサート兼用スペーサー
２      スペーサー本体
３      座盤部
３０    同  上面
３１    同  下面
３２    同  吊り孔
３３    同扇状片３３
３４    同  釘孔
４      堰き止めリング
４０    同  環状溝
４１    同  鈎爪部
４２    同  防水リング体
５      胴体部
５０    同  上端
５１    同  筒状孔
５２    同  開口
６      補強翼（補強体）
６０    同  ガイド翼部（ガイド部）
７      支柱ナット
７０    同  柱体部
７１    同  支承頭部
７２    同  雌ネジ部
８      吊り金具
８０    同  ボルト部
Ｐ      型枠パネル
Ｎ      釘
Ｓ      鉄筋
Ｃ      コンクリート
Ｆ      コンクリート皮膜
Ｗ      汚れ
Ｅ      未充填域                                                                                              
【図１】
2014152460.tif 000003
【図２】
2014152460.tif 000004
【図３】
2014152460.tif 000005
【図４】
2014152460.tif 000006
【図５】
2014152460.tif 000007
【図６】
2014152460.tif 000008
【図７】
2014152460.tif 000009
【図８】
2014152460.tif 000010
【図９】
2014152460.tif 000011
【図１０】
2014152460.tif 000012
【図１１】
2014152460.tif 000013
【図１２】
2014152460.tif 000014
【図１３】
2014152460.tif 000015
【図１４】
2014152460.tif 000016
【図１５】
2014152460.tif 000017
【図１６】
2014152460.tif 000018
【図１７】
2014152460.tif 000019
【図１８】
2014152460.tif 000020
【図１９】
2014152460.tif 000021
【図２０】
2014152460.tif 000022
【図２１】
2014152460.tif 000023
【図２２】
2014152460.tif 000024
【図２３】
2014152460.tif 000025